(57)【要約】【課題】下位置決め具を利用せずに作業が容易かつ確実で作業時間を短く抑えることができ、硬化する前のコンクリートが型枠とベースコンクリートの隙間から漏出することを防止することができ、下位置決め具の残骸の腐食によるコンクリートの劣化を来さず、かつ施工コストを低く抑えることができる型枠保持方法、その方法に使用される保持具及び間隔補整具を提供すること。【解決手段】一対のコンクリート型枠１，２を対向して立設する工程、両コンクリート型枠間にコンクリート型枠の間隔を補整する間隔補整具１０を挿入して当該両コンクリート型枠間を規制する工程、両コンクリート型枠１，２の外面にコンクリート型枠を保持するコンクリート型枠用保持具２０を被せて装着する工程、前記間隔補整具１０を両コンクリート型枠間から引き抜いてコンクリート型枠１，２を所定間隔に保持する工程を含む。【選択図】図７
2005213847.tif 000002
【特許請求の範囲】
【請求項１】
一対のコンクリート型枠を対向して立設する工程、
両コンクリート型枠間にコンクリート型枠の間隔を補整する間隔補整具を挿入して当該両コンクリート型枠間を規制する工程、
両コンクリート型枠の外面にコンクリート型枠を保持するコンクリート型枠用保持具を被せて装着する工程、
前記間隔補整具を両コンクリート型枠間から引き抜いてコンクリート型枠を所定間隔に保持する工程を含むことを特徴とするコンクリート型枠保持方法。
【請求項２】
対向して立設される一対のコンクリート型枠を所定間隔に補整する間隔補整具であって、
コンクリート型枠の上方に配置される把持部と、
該把持部より前記コンクリート型枠の両内面に沿ってそれぞれ垂下する垂下部と、
を備えていることを特徴とするコンクリート型枠の間隔補整具。
【請求項３】
把持部に設けられコンクリート型枠の外面に当接する当接部を備えていることを特徴とする請求項２に記載のコンクリート型枠の間隔補整具。
【請求項４】
垂下部は、コンクリート型枠の下端部まで垂下して設けられていることを特徴とする請求項２又は３記載のコンクリート型枠の間隔補整具。
【請求項５】
対向して立設された一対のコンクリート型枠の両頂部間に架け渡される架設部と、該架設部よりコンクリート型枠の両外面に沿って垂下して設けられた脚部とから成る縦断面略門形のコンクリート型枠用保持具であって、
前記架設部は、角材より構成されており、コンクリート型枠の両頂部に当接することを特徴とするコンクリート型枠用保持具。
【請求項６】
架設部は、コンクリート型枠の内面に当接して当該コンクリート型枠の内側間の間隔規制を行う内側間規制片を備えていることを特徴とする請求項５記載のコンクリート型枠用保持具。
【請求項７】
コンクリート型枠の頂部の上方で連架する着脱可能なブラケットを備えていることを特徴とする請求項５又は６記載のコンクリート型枠用保持具。
【発明の詳細な説明】
【技術分野】
【０００１】
本発明は、例えば住宅等の基礎のコンクリート打設に好適に用いられる、コンクリート型枠を保持するコンクリート型枠保持方法、対向して立設される両コンクリート型枠間を規制する間隔補整具及びそのコンクリート型枠を所定間隔に保持するコンクリート型枠用保持具に関するものである。
【背景技術】
【０００２】
従来、住宅等の基礎のコンクリート打設の際に用いられるコンクリート型枠保持方法は、図９に示すように、地面又はベースコンクリート上に下側位置決め具９０を設置して固定し、その下位置決め具９０にコンクリート型枠（以下、「型枠」と称す。）８１，８２の下端部をはめ込み、更に上位置決め具９０を用いて裏返した状態で型枠８１，８２の上端部をはめ込むことにより型枠８１，８２を対向させて立設し、その一対の型枠８１，８２を所定の間隔に保持するものである。
【０００３】
ついで、この対向する型枠８１，８２の間にコンクリートｃを流し込んで打設し、コンクリート硬化後に上位置決め具９０と型枠８１，８２を取り外し、下位置決め具９０については側面へハンマー等で打撃を加えてコンクリートｃから露出した下位置決め具９０の一部をコンクリート中に残る部分と分離してコンクリートｃの基礎が形成される。
【特許文献１】特開平９−４２２５号公報
【発明の開示】
【発明が解決しようとする課題】
【０００４】
しかしながら、上記の型枠保持方法では、下位置決め具及び上位置決め具を利用していることにより、型枠を、まず下から上向きに挟み込み、次に上から下向きに挟み込んで保持していくので、作業が煩雑となり、作業時間がかかるし、手間がかかり甚だ面倒である。また、立設させた型枠を支持しながらの作業となるので、一人では作業できない場合がある。
【０００５】
また、上記方法では、下位置決め具を型枠の下端部に挟み込むので、型枠が下位置決め具の厚み分だけベースコンクリートから浮上し、型枠とベースコンクリート間に間隙が生じてしまう。このように下端部に間隙が生じると、型枠間に流し込んで打設したコンクリートが硬化する前にその間隙から漏出するようになり、コンクリートの基礎の見栄えが悪くなる。
【０００６】
更に、打設したコンクリートには下位置決め具が残骸として埋設されるので、やがて腐食して美観を損ねるばかりか、コンクリートの劣化の一因となる。また、下位置決め具は、打設後その一部が分離されてしまうので再使用できず、そのため施工コストが高くなる。
【０００７】
よって、本願発明が解決しようとする問題点は、下位置決め具を利用することにより、作業が甚だ面倒で煩雑となり作業時間がかかる点と、型枠とベースコンクリート間の間隙から硬化する前のコンクリートが漏出してしまい、見栄えが悪くなる点と、埋設された下位置決め具が腐食して美観を損ねるばかりか、コンクリートの劣化の一因となる点と、施工コストが高くなる点である。
【０００８】
そこで、本発明は上記の課題に鑑み為されたものであって、その目的は、下位置決め具を利用せずに作業が容易かつ確実で作業時間を短く抑えることができ、硬化する前のコンクリートが型枠とベースコンクリートの隙間から漏出することを防止することができ、下位置決め具の残骸の腐食によるコンクリートの劣化を来さず、かつ施工コストを低く抑えることができるコンクリート型枠保持方法、その方法に使用される間隔補整具及びコンクリート型枠用保持具（以下、「保持具」と称す。）を提供することである。
【課題を解決するための手段】
【０００９】
本願請求項１記載の発明に係る型枠保持方法は、図面に使用する符号を付して説明すると、「一対の型枠１，２を対向して立設する工程、両型枠間に型枠１，２の間隔を補整する間隔補整具１０を挿入して当該両型枠間を規制する工程、両型枠１，２の外面に型枠１，２を保持する保持具２０を被せて装着する工程、前記間隔補整具１０を両型枠間から引き抜いて型枠１，２を所定間隔に保持する工程を含む」ところに特徴を有するものである。
【００１０】
これは、図５〜８に示すように、ベースコンクリート上に一対の型枠１，２を対向して立設する工程により、型枠１，２の下端部に下位置決め具を設置することなく一時的に立設させる。この両型枠間に上方から間隔補整具１０を挿入する工程により、型枠１，２の下端部間の間隔が狭まることを防止するとともに、型枠１，２の両頂部の広がりを防止して、両型枠間を規制する。一方、型枠間が所定間隔より狭い場合は、間隔補整具１０の挿入により型枠間を所定間隔に広げる。両型枠１，２の外面に保持具２０を上方から被せて装着する工程により、両型枠間は内面から規制された状態を維持しつつ、保持具２０が型枠１，２の外面から両型枠１，２を保持して、両型枠１，２の立設を一時的な立設から手を離しても倒れない確実な立設とする。そして、その両型枠間から間隔補整具１０を引き抜く工程により、保持具２０のみで両型枠１，２を所定間隔に保持する。
【００１１】
即ち、この方法は、型枠１，２に対し、すべての作業を型枠１，２の上方から作業するようにし、下位置決め具を利用しないで型枠を保持するようにした方法である。そして、型枠１，２を立設して保持する際に、一方の手で間隔補整具１０を持って挿入し、他方の手で保持具２０を持ち装着するようにできるので、一人でも作業できる。尚、間隔補整具１０の挿入と保持具２０の装着の順序は、連続して行うこともできるし、同時に行うこともできる。
【００１２】
本願請求項２記載の発明に係る型枠の間隔補整具は、「対向して立設される一対の型枠１，２を所定間隔に補整する間隔補整具１０であって、型枠１，２の上方に配置される把持部１１と、該把持部１１より前記型枠１，２の両内面に沿ってそれぞれ垂下する垂下部１２と、を備えている」ところに特徴を有するものである。
【００１３】
即ち、このような構成としたので、把持部１１を把持して両型枠間への挿入及び引き抜き作業が片手で容易になし得るものとなるとともに、その挿入に伴って、立設された両型枠１，２を内側から押し広げ、簡単かつ容易に型枠間を所定間隔に補整し、型枠間を規制する。特に型枠１，２の両頂部間が狭くなることや広くなることを規制し、ひいてはコンクリートの基礎の幅が所定の幅より狭く形成されることや広く形成されることを防止する。
【００１４】
本願請求項３記載の発明に係る型枠の間隔補整具は、請求項２に記載の型枠の間隔補整具において、「把持部１１に設けられ型枠１，２の外面に当接する当接部１３を備えている」ところに特徴を有するものである。
【００１５】
これは、図１又は２に示すように、当接部１３が把持部１０に設けられているので、間隔補整具１０を両型枠間に挿入した際に、型枠１，２の外面に当接部１３が当接して、対向して立設された型枠１，２の両頂部の外側への開きを規制する。更に、当接部１３と垂下部１２との間に型枠１，２の両頂部が係合する場合には、両型枠の上方が係合されることにより、型枠１，２が所定間隔に適正に規制され、かつ、安定して保持される。
【００１６】
本願請求項４記載の発明に係る型枠の間隔補整具は、請求項２又は３記載の型枠の間隔補整具において、「垂下部１２は、型枠１，２の下端部まで垂下して設けられている」ところに特徴を有するものである。
【００１７】
これにより、間隔補整具２０が型枠間に挿入された際に、垂下部１３が型枠１，２の下端部に当接して、型枠１，２の下端部における間隔を規制する。従って、型枠１，２の下端部の間隔が所定間隔より狭くなることを規制し、型枠間を所定間隔に補整する。
【００１８】
本願請求項５記載の発明に係る保持具は、「対向して立設された一対の型枠１，２の両頂部間に架け渡される架設部２１と、該架設部２１より型枠１，２の両外面に沿って垂下して設けられた脚部２２，２２とから成る縦断面略門形の保持具２０であって、前記架設部２１は、角材より構成されており、型枠１，２の両頂部に当接する」ところに特徴を有するものである。
【００１９】
これは、図３に示すように、左右一対の脚部２２，２２の上方を架設部２１で連結した縦断面略門形に形成したものであり、一対の立設された一対の型枠１，２の外面から被せて装着するように使用して、両型枠１，２を保持するものである。型枠１，２に装着したときに、架設部２１が型枠１，２の両頂部間に架け渡され、脚部２２が架設部２１より型枠１，２の両外面に沿って垂下した状態となり、対向する型枠１，２を外面から挟み込むように固定するものである。
【００２０】
特に、架設部２１は、角材より構成されており、型枠１，２の両頂部に当接するようにしてある。その当接手段は、例えば、架設部２１の角材の一の面が型枠１，２の両頂部に面接触して当接するようにしてもよいし、架設部２１の一の面を開口するようにして少なくとも２箇所で接触して当接するようにしてもよい。このようにすると、型枠１，２に装着された際に、架設部２１と型枠とが面接触又は少なくとも２箇所で接触して当接し、型枠１，２の外側面に沿って面方向に移動することが防止され、安定する。更に、脚部２２が架設部２１から真っ直ぐ下方へ垂下する状態で型枠１，２に装着され、型枠１，２を確実に固定する。
【００２１】
尚、一方の脚部２２の下端内側面に、型枠１又は２の下端部と係合する係合爪２２ａを形成すると、一の型枠１又は２の下端部と係合爪２２ａを係合して装着することができ、脚部２２で型枠の下端部を固定できる。特に、係合爪２２ａは、コンクリートを打設すると両型枠１，２の下端部は広がる方向に力がかかるから両脚部２２，２２に形成する必要はなく、一方の脚部２２のみに係合爪２２ａを形成すればよい。これにより、型枠の下端部間を所定間隔に保持できるとともに、その装着の作業性は両端部を固着する場合よりよくなる。また、脚部２２，２２の両外側面に複数の縦列の貫通孔２２ｂを形成すると、各種のブラケットを着脱自在に取付可能とすることができる。
【００２２】
本願請求項６記載の発明に係る保持具は、請求項５記載の保持具において、「架設部２１は、型枠１，２の内面に当接して当該型枠１，２の内側間の間隔規制を行う内側間規制片２３を備えている」ところに特徴を有するものである。
【００２３】
即ち、これは、両型枠１，２を外側面から保持するとともに、型枠１，２の内面に当接する内側間規制片２３で両型枠１，２の内側間の間隔規制を行い得るようにしたものである。内側間規制片２３は、例えば、架設部２１の略中央部に下方へ突出又は延出するように設ければよい。更には、内側間規制片２３の両端部と両脚部２２，２２との間で、型枠１，２の両頂部を係合するように形成すると、型枠間を所定間隔に規制して保持するようになり更に好ましい。
【００２４】
本願請求項７記載の発明に係る保持具は、請求項５又は６記載の保持具において、「型枠１，２の頂部の上方で連架する着脱可能なブラケット３０を備えている」ところに特徴を有するものである。
【００２５】
これは、図４に示すように、保持具２０に係合して着脱自在に取付可能なブラケットを備えており、必要なときには、複数のブラケット３０をそれぞれ保持具２０に装着して、型枠１，２の頂部の上方で連架するようにしたものである。このようにすることにより、複数の保持具２０に装着して、型枠１，２の頂部の上方に複数連架した所謂骨組み状のものを形成できるようにしたものである。また、不要なときには、保持具２０から離脱するようにしたものである。
【発明の効果】
【００２６】
本願請求項１記載の発明に係る型枠保持方法によれば、一対の型枠を対向して立設する工程、両型枠間に型枠の間隔を補整する間隔補整具を挿入して当該両型枠間を規制する工程、両型枠の外面に型枠を保持する保持具を被せて装着する工程、前記間隔補整具を両型枠間から引き抜いて型枠を所定間隔に保持する工程を含むことにより、下位置決め具を利用することがないので、作業が容易かつ確実で作業時間を短く抑えることができる。また、保持具を型枠の外面に被せて装着するので、型枠の下端は地面に当接し、硬化する前のコンクリートが型枠とベースコンクリートの隙間から漏出することを防止することができ、打設したコンクリートの基礎を見栄えをよくすることができる。更に、打設後のコンクリート内に保持具の残骸が埋設させることがないので、残骸の腐食による美観を損ねることがなく、コンクリートの劣化を来すことがなく、かつ保持具を繰り返し使用でき、ひいては、施工コストを低く抑えることができるという効果を奏する。
【００２７】
本願請求項２記載の発明に係る型枠の間隔補整具によれば、対向して立設される一対の型枠を所定間隔に補整する間隔補整具であって、型枠の上方に配置される把持部と、該把持部より前記型枠の両内面に沿ってそれぞれ垂下する垂下部と、を備えていることにより、下位置決め具を利用することなく、両型枠間に挿入して当該両型枠間を規制することができ、両型枠を所定間隔に綺麗に整えることができるので、この間隔補整具は本願請求項１記載の発明に係る型枠保持方法に使用するのに最も好適である。
【００２８】
本願請求項３記載の発明に係る型枠の間隔補整具によれば、請求項２に記載の型枠の間隔補整具の奏する効果に加えて、把持部に設けられ型枠の外面に当接する当接部を備えているので、当該間隔補整具を両型枠間に上方から挿入した際に、当該両型枠間を規制するとともに、当接部が両型枠の外面に当接して当該型枠の上部の広がりを防止することができるという効果を奏する。
【００２９】
本願請求項４記載の発明に係る型枠の間隔補整具によれば、請求項２又は３記載の型枠の間隔補整具の奏する効果に加えて、垂下部は、型枠の下端部まで垂下して設けられているので、当該間隔補整具を両型枠間に上方から挿入した際に、垂下部が両型枠の下端部に当接して当該両型枠間の上下両方を所定間隔に規制することができ、両型枠を所定間隔に綺麗に整えることができるという効果を奏する。
【００３０】
本願請求項５記載の発明に係る保持具によれば、対向して立設された一対の型枠の両頂部間に架け渡される架設部と、該架設部より型枠の両外面に沿って垂下して設けられた脚部とから成る縦断面略門形の保持具であって、前記架設部は、角材より構成されており、型枠の両頂部に当接することにより、下位置決め具を利用することなく、型枠の下端をベースコンクリートに当接して保持することができ、硬化前のコンクリートの漏出を防止することができる。また、打設後のコンクリート内に下位置決め具や保持具の残骸が埋設されることがないので、残骸の腐食による美観を損ねることがなく、コンクリートの劣化を来すことがなく、かつ保持具を繰り返して使用することができる。従って、この保持具は、本願請求項１記載の発明に係る型枠保持方法に使用するのに最も好適である。
【００３１】
本願請求項６記載の発明に係る保持具によれば、請求項５記載の保持具の奏する効果に加えて、架設部は、型枠の内面に当接して当該型枠の内側間の間隔規制を行う内側間規制片を備えているので、内側間規制片が型枠の内面に当接し、型枠が内側に倒れることを防止できるので、間隔補整具等を用いることなく単体のみにて、両型枠間を規制しつつ保持することができるという効果を奏する。
【００３２】
本願請求項７記載の発明に係る保持具によれば、請求項５又は６記載の保持具の奏する効果に加えて、型枠の頂部の上方で連架する着脱可能なブラケットを備えているので、複数の保持具にそれぞれブラケットを装着して骨組みを構成し、その上からビニール等で被うことにより、型枠間に雨、埃、ゴミ等の異物の侵入を防止することができ、特に打設後のコンクリート内に異物が侵入することを防止してコンクリートの品質を維持することができるとともに、保持具にブラケットを装着して作業性をよくすることも、離脱してコンパクトに収納保管することや補修することができるという効果を奏する。
【発明を実施するための最良の形態】
【００３３】
以下に本発明を実施するための最良の形態を図面を用いて説明するが、本発明の趣旨を越えない限り何ら以下の例に限定されるものではない。図１及び２は本発明に係る間隔補整具を示す斜視図である。図３及び４は本発明に係る保持具を示す斜視図である。図５〜８は本発明に係る型枠保持方法を示す斜視図である。
【００３４】
本発明に係る間隔補整具について図１又は２を参照して説明する。間隔補整具１０は、型枠の上方に配置される把持部１１と、把持部１１より型枠の両内面に沿ってそれぞれ垂下する垂下部１２と、を備えている。把持部１１及び垂下部は、鉄製から成る板材を用いて一体的に形成してある。
【００３５】
把持部１１は、図１に示すように、立設される型枠の両頂部間よりも幅が広く所定高さを有する略台形の平板状に形成してあり、その略中央部に把持可能に貫通孔を有している。この把持部１１に有する貫通孔に手先を入れて把持部１１を把持し、間隔補整具１０を型枠間に挿入したり又は型枠間から引き抜くことができるようにしてある。また、把持部１１は、把持部１１の両端部から下方に延出する当接部１３が一体に形成してあり、当接部１３が型枠の頂部の外側面に当接するようにしてある。両当接部１３と垂下部１２との間は、それぞれ型枠の両頂部に係合するように凹状に形成してあり、当接部１３の内側の端部と垂下部１２との間で形成される凹状の距離は、型枠の頂部の厚みとほぼ同じにしてある。
【００３６】
垂下部１２は、把持部１１から垂下するように一体的に形成してあり、型枠間に挿入した際に型枠の内側面に沿ってそれぞれ垂下するように形成してある。垂下部１２の垂下長さは、型枠の両頂部から下端部までの高さ方向の長さとほぼ同じ長さとしてある。また、垂下部１２の幅は、型枠の所定間隔とほぼ同じ幅としてある。更に、垂下部１２の略中央部には略逆Ｕ字状の切り込みが下端部から上方に向けて形成してある。また、垂下部１２は、図２に示すように、両側部が横断面略Ｌ字状に折り曲げられて形成してあり、型枠に面接触して当接するようになるとともに、両側部を補強するようにしてある。
【００３７】
間隔補整具１０の使用方法について説明する。間隔補整具１０は、対向して立設された一対の型枠を所定間隔に規制するために用いられ、ベースコンクリートの上に一対の型枠を立て、それらの上から型枠間に間隔補整具１０を挿入して、型枠間を規制する。その後、型枠間から引き抜かれ、保持具等で型枠を保持し、コンクリートを打設して、コンクリート基礎が形成される。
【００３８】
本実施例に係る間隔補整具１０によれば、把持部１１を把持して両型枠間への挿入作業が片手で容易になし得る。更に、間隔補整具１０の挿入することで、立設された両型枠を押し広げ、型枠間が狭くなることを防止し、基礎コンクリートの幅が所定の幅より狭く形成されることを防止する。また、把持部１１を把持して両型枠間から引き抜く作業が片手で容易になし得る。従って、型枠間に挿入し引き抜くことで、垂下部１２が両型枠を内側から押し広げ、簡単かつ容易に両型枠間を所定間隔にするように規制することができ、両型枠を所定間隔に綺麗に整えることができる。ひいては、均一の所定間隔に整った高品質のコンクリートの基礎を形成できる。
【００３９】
また、型枠の外面に当接する当接部１３が把持部１１に設けてあるので、間隔補整具１０を両型枠間に挿入すると、当接部１３が型枠の外側面に当接して、型枠の上方の開きを防止するように型枠の両頂部を規制する。更に、当接部１３と垂下部１２との間で形成される凹状の部分で、型枠の両頂部に係合すると、型枠の両頂部間の間隔を所定間隔に規制するとともに、一時的に保持できる。更に、垂下部１２は、型枠の下端部まで垂下して設けられているので、型枠の下端部間が狭まることを規制できる。
【００４０】
更に、間隔補整具１０は、垂下部１２に略中央部に略逆Ｕ字状の切り込みがあることにより、鉄骨等の型枠間の障害物をさけて間隔補整具１０を型枠間へ挿入することができる。また、垂下部１２の両側部が型枠に面接触で当接することにより、型枠を内側から外側に押し広げるように作用し、型枠間を確実に規制できる。
【００４１】
次に、本発明に係る保持具を図３又は４を参照して説明する。保持具２０は、図３に示すように、対向して立設された一対の型枠の両頂部間に架け渡される架設部２１と、架設部２１より型枠の両外面に沿って垂下して設けられた脚部２２，２２とから成る縦断面略門形に形成してある。架設部２１及び脚部２２は、断面略四角形の鉄製の中空角材から構成されている。
【００４２】
架設部２１は、角材よりなり、その両端部を両脚部２２，２２の上方に架け渡して溶接で脚部２２，２２に固着してある。更に、略コ字形の鉄製からなる板材を開口面を下向きにしてその角材を覆い、架設部２１の下面に開口両端部を形成し、板材の左右両側部を脚部２２に架け渡し脚部２２に溶接で固着してある。これにより、架設部２１の開口両端部が型枠の両頂部に当接するようにしてある。更に、架設部２１の中間部には、前記板材の一部分を下方へ延出して一体的に形成し、下方へ凸となる内側間規制片２３を設け、内側間規制片２３の左右両端面と脚部２２，２２の内面で、型枠の両頂部に係合するようにしてある。
【００４３】
脚部２２は、架設部２１の両端部からそれぞれ下方へ垂下するように架設部２１に固着してあり、型枠に被せて装着した際に、型枠の両外面に沿って垂下するようにしてある。また、一方の脚部２２の下端内側面に、型枠の下端部と係合する係合爪２２ａが溶接して形成してある。更に、脚部２２の外側面に複数の矩形状の貫通孔２２ｂが縦列に等間隔で形成してあり、各種のブラケットを着脱自在に取付可能としてある。
【００４４】
ブラケットは、図４に示すように、脚部２２に有する貫通孔２２ｂに取り付ける着脱自在な一対の係合部片３１と、両係合部片３１を連設する半円弧状の連設部３２とからなり、これら係合部へ３１と連設部３２が一体に形成してある。ブラケット３０は、両脚部２２の貫通孔２２ｂに係合又は係合解除されて着脱自在に取り付けられ、保持具２０が両型枠に装着された際に、型枠の頂部の上方で連架する。
【００４５】
保持具２０の使用方法について説明する。まず、ベースコンクリートの上に一対の型枠を立て、それらの上から保持具２０を被せて装着し、型枠を所定間隔に保持する。その後、コンクリートを打設して、コンクリート基礎が形成される。コンクリート硬化後、保持具２０は型枠から離脱される。
【００４６】
本実施例に係る保持具２０によれば、縦断面略門形に形成されているので、型枠の下端がベースコンクリートに当接した状態で立設でき、ベースコンクリートと型枠の下端面との間に隙間が生じない。従って、型枠間に流し込んだコンクリートが、型枠の下端部から外部へ漏出することを防止することができる。また、打設後保持具は離脱されコンクリート内に保持具２０の残骸が埋設されることがないので、残骸の腐食による美観を損ねることがなく、コンクリートの劣化を防止することができる。更に、保持具２０は、架設部２１が角材より構成されており、型枠の両頂部に当接するようにしてあるので、安定して確実に型枠を保持でき、型枠を所定間隔に保持することができる。ひいては高品質のコンクリートの基礎を形成できる。脚部２２には、外側面に複数の縦列の貫通孔２２ｂが形成してあるので、各種のブラケットを着脱自在に取付可能とすることができる。
【００４７】
また、架設部２１には、型枠の内面に当接して当該型枠の内側間の間隔規制を行う内側間規制片２３が設けられているので、型枠に装着した際に、架設部２１が型枠の両頂部に当接し、内側間規制片２３の両端部と両脚部２２，２２との間に型枠の両頂部が係合して両型枠が保持され、型枠の内側間の規制をして保持することができ、所定間隔に保持できる。
【００４８】
更に、脚部２２には、一の脚部２２の下端内側面にのみに型枠の下端部と係合する係合爪２２ａを形成してあるので、一の型枠の下端部と係合爪２２ａを係合して装着することができる。これにより、脚部２２で型枠間の下端部を固定できる。このように片方の脚部２２にのみ係合爪２２ａが形成してあるので、両型枠の外面に被せて装着する際に、一方の脚部２２を型枠に係合させればよく、装着の作業性がよくなる。尚、片方の脚部にのみ形成してあっても、コンクリートを打設すると両型枠の下端部は広がる方向に力がかかるから型枠の保持性能が低下することはない。
【００４９】
一方、型枠の頂部の上方で連架する着脱可能なブラケット３０を備えているので、保持具２０にブラケット３０を装着して型枠の上方で連架する複数のブラケット３０による骨組みを形成することができる。この骨組みにビニール等のシート状物を被せることにより、型枠間に雨、埃、ゴミ等の異物の侵入を防止することができる。特に、打設後のコンクリート内に異物が侵入することを防止してコンクリートの品質を維持することができる。更に、ブラケット３０は着脱自在に保持具２０に取付可能であるから、不使用時は、ブラケット３０を離脱して作業性をよくすることもできる。また、保管時には離脱してコンパクトに収納することや補修することができる。
【００５０】
次に、間隔補整具１０及び保持具２０を用いて型枠を保持する方法について図５〜８を参照して詳細に説明する。
【００５１】
まず、図５に示すように、ベースコンクリート上に一対の型枠１，２を対向して立設する。型枠１，２は、表面がコンクリート成形面である薄板鋼板製の面板１ａ，２ａを有し、その上端には上ウェブ１ｂ，２ｂと上リブ１ｃ，２ｃとが形成されるように横Ｌ字状に折り曲げ形成してある。また、その下端には下ウェブ１ｄ，２ｄと下リブ１ｅ，２ｅとが形成されるように横Ｌ字状に折り曲げ形成してある。尚、型枠１，２は、面板１ａ，２ａの左右両側縁に、側桟が面板１ａ，２ａと一体に形成してあってもよい。側桟は、例えば偏平角パイプ状に折り曲げ形成してあるものである。
【００５２】
次に、図６に示すように、両型枠間に間隔補整具１０を挿入して当該両型枠間を規制する。ここで、両型枠１，２の上方から間隔補整具１０を挿入することによって、垂下部１２が場合によっては両型枠間を押し広げながら、型枠１，２の内側間を規制する。更に、把持部１１に設けてある当接部１３が両型枠１，２の両頂部の内側面に当接し、当接部１３と脚部２２との間が型枠１，２の両頂部に係合して両型枠間に挿入完了され、両型枠１，２が倒れない程度に一時的に保持し、型枠間を確実に規制する。
【００５３】
そして、図７に示すように、両型枠１，２の外面に保持具２０を上方から被せて装着する。この際、係合爪２２ａを型枠２の下端部から起立する下リブ２ｅに係合させると、型枠１，２の下方の移動を防止でき、型枠間を所定間隔に保持できる。一方、型枠１，２の上方については、保持具２０を上方から下方へ押し込むことにより、架設部２１の開口両端部が型枠１，２の両頂部に当接して保持できる。更に、内側間規制片２３を、保持具２０の架設部２１に設けてあるので、内側間規制片２３の両端部と両脚部２２，２２との間に型枠１，２の両頂部を係合させることができ、こうすることにより、型枠１，２をその間隔を規制しつつ脚部２２の内面に沿ってベースコンクリート上に所定間隔に保持して立設できる。
【００５４】
ついで、間隔補整具１０を両型枠間から引き抜いて、図８に示すように、保持具２０のみで型枠１，２を保持するようにする。更に、上記の工程を繰り返し行い、一の保持具２０から所定間隔を有する位置に、間隔補整具１０を挿入して当該両型枠間を規制しながら、保持具２０を被せて装着する。通常、一の型枠１，２について２〜３の保持具２０を装着して保持していく。
【００５５】
そうして、両型枠間にコンクリートを流し込む。コンクリートが硬化したら、保持具２０を上に持ち上げて型枠１，２から外し、ついで型枠１，２を撤去する。
【００５６】
間隔補整具１０及び保持具２０を用いたこの型枠保持方法によれば、従来の下位置決め具を利用することなく、型枠を所定間隔に規制しつつ保持することができるので、作業が煩雑とならず、作業性がよい。また、その作業は、間隔補整具１０を、片手で両型枠間に挿入することができるし、一方、保持具２０を、片手で両型枠１，２の上方から外面に被せて装着することができるので、非常に作業効率がよい。また、その作業は容易かつ確実であり、かつ作業時間を短く抑えることができる。更に、それらの作業を連続して行うこともできるし、間隔補整具１０の挿入と保持具２０の装着を同時に行うことができる。また、間隔補整具１０と保持具２０を再利用して、型枠を保持することができるので、施工コストを低く抑えることができる。。
【００５７】
以上、本発明の実施の形態を説明したが、本発明の趣旨を越えない限り何ら上記の例に限定されるものではない。例えば、ブラケットは、型枠の頂部の上方で連架するブラケットに何ら限られるものではなく、複数の保持具を横架するように連結し、型枠の直進性を補正するための鋼管を取り付けるための連結用ブラケットであってもよい。この連結用ブラケットによれば、隣り合う保持具のブラケット間に鋼鉄を横架して保持具を連結することにより、より少ない数の保持具で型枠を保持できるとともに、型枠の立設状態の直進性をよくすることができる。また、脚部の下方に取り付けてベースコンクリートに釘打ちし、脚部をベースコンクリートに固定するための釘打ち用ブラケットであってもよい。この釘打ち用ブラケットによれば、脚部を確実にベースコンクリートに固定することができる。
【００５８】
また、ブラケットと、保持具との取り付けは、着脱可能であればよく、上記実施例に示した係合部片と貫通孔に何ら限定されるものではなく、例えば、脚部に形成した凸状のピンと、このピンに係止するフックをブラケットに有することによる着脱可能な取り付けであってもよい。
【００５９】
また、型枠保持方法は、間隔補整具１０を挿入してから連続して保持具２０を装着して保持する上述の方法に何ら限定されるものではなく、例えば間隔補整具１０の挿入と保持具２０の装着を同時に行って保持する方法であってもよい。また、一の型枠に対して複数の保持具を装着する場合には、必ずしも毎回、間隔補整具１０の挿入する必要はなく、一度挿入し、２回目以降からは間隔補整具１０を型枠間に挿入しないで保持具２０を装着してもよい。
【図面の簡単な説明】
【００６０】
【図１】本発明に係る間隔補整具を示す斜視図である。
【図２】本発明に係る間隔補整具の反対面を示す斜視図である。
【図３】本発明に係るコンクリート型枠用保持具を示す斜視図である。
【図４】コンクリート型枠用保持具とブラケットを示す斜視図である。
【図５】一対のコンクリート型枠を対向して立設した状態を示す斜視図である。
【図６】間隔補整具を両コンクリート型枠間に挿入した状態を示す斜視図である。
【図７】コンクリート型枠用保持具を両コンクリート型枠の外側から被せて装着した状態を示す斜視図である。
【図８】間隔補整具を両コンクリート型枠間から引き抜いた状態を示す斜視図である。
【図９】従来の上下位置決め具でコンクリート型枠を保持した状態を示す斜視図である。
【符号の説明】
【００６１】
１，２  コンクリート型枠
１０    間隔補整具
１１    把持部
１２    垂下部
１３    当接部
２０    コンクリート型枠用保持具
２１    架設部
２２    脚部
２２ａ  係合爪
２２ｂ  貫通孔
２３    内側間規制片
３０    ブラケット
【図１】
2005213847.tif 000003
【図２】
2005213847.tif 000004
【図３】
2005213847.tif 000005
【図４】
2005213847.tif 000006
【図５】
2005213847.tif 000007
【図６】
2005213847.tif 000008
【図７】
2005213847.tif 000009
【図８】
2005213847.tif 000010
【図９】
2005213847.tif 000011